(57)【要約】【課題】非侵襲であってデバイスの携帯や取り扱いが容易であり、早期に心不全の悪化を検出すること。【解決手段】  本発明に係る心不全の検出方法は、被験者についての日常の活動性および末梢部位の温度を測定し、日常の活動性および末梢部位の温度の両方が低下したときに（＃３１、３２でイエス）、被験者が心不全であることを検出する（＃３４）。例えば、活動性が所定割合低下し、かつ末梢部位の温度が３５℃以下に低下したときに、心不全であることを検出する。【選択図】図１０
2020039472.tif 000002
【特許請求の範囲】
【請求項１】
被験者についての日常の活動性および末梢部位の温度を測定し、
前記日常の活動性および前記末梢部位の温度に基づいて前記被験者が心不全であることを検出する、
ことを特徴とする心不全の検出方法。
【請求項２】
前記日常の活動性および前記末梢部位の温度の両方が低下したときに前記被験者が心不全であることを検出する、
請求項１記載の心不全の検出方法。
【請求項３】
前記被験者の活動性が所定割合低下し、かつ前記末梢部位の温度が３５℃以下に低下したときに、前記被験者が心不全であることを検出する、
請求項２記載の心不全の検出方法。
【請求項４】
さらに前記被験者の末梢部位の皮膚インピーダンスが低下したときに前記被験者が心不全であることを検出する、
請求項２または３記載の心不全の検出方法。
【請求項５】
前記被験者の末梢部位の皮膚インピーダンスが１０パーセント以上低下したときに前記被験者が心不全であることを検出する、
請求項４記載の心不全の検出方法。
【請求項６】
前記日常の活動性は、前記被験者の単位時間当たりの歩数、または所定時間内における最高歩行速度、またはこれらの組み合わせである、
請求項１ないし５のいずれかに記載の心不全の検出方法。
【請求項７】
前記末梢部位は、手首、足首、手背、指、上腕、前腕、下腿、顔、または耳である、
請求項１ないし６のいずれかに記載の心不全の検出方法。
【請求項８】
被験者についての日常の活動性および末梢部位の温度に基づいて前記被験者が心不全であることを検出する心不全検出部を有する、
ことを特徴とする心不全の検出装置。
【請求項９】
前記日常の活動性を検出する活動性検出部と、
前記末梢部位の温度を測定する温度測定部と、
を有し、
前記心不全検出部は、前記活動性検出部によって検出された前記日常の活動性および前記温度測定部によって測定された前記末梢部位の温度に基づいて、前記被験者が心不全であることを検出する、
請求項８記載の心不全の検出装置。
【請求項１０】
前記日常の活動性および前記末梢部位の温度を端末装置から通信回線を介して受信する受信部を有し、
前記心不全検出部は、前記受信部によって受信された前記日常の活動性および前記末梢部位の温度に基づいて前記被験者が心不全であることを検出する、
請求項８記載の心不全の検出装置。
【請求項１１】
被験者が心不全であるか否かを検出するために用いられる検出端末装置であって、
前記被験者についての日常の活動性を検出する活動性検出部と、
前記被験者についての末梢部位の温度を測定する温度測定部と、
前記活動性検出部により検出された前記日常の活動性と前記温度測定部により測定された前記末梢部位の温度とを、前記被験者が心不全であるか否かを判断する情報解析装置に送信する送信部と、
を有することを特徴とする心不全検出のために用いられる検出端末装置。
【請求項１２】
前記活動性検出部は、前記日常の活動性として、前記被験者の単位時間当たりの歩数および所定時間内における最高歩行速度を検出する、
請求項１１記載の検出端末装置。
【請求項１３】
前記被験者についての末梢部位の皮膚インピーダンスを測定する皮膚インピーダンス測定部を有し、
前記送信部は、さらに、前記皮膚インピーダンス測定部により測定した前記末梢部位の皮膚インピーダンスを前記情報解析装置に送信する、
請求項１１または１２記載の検出端末装置。
【請求項１４】
前記被験者についての心音を検出する心音検出部を有し、
前記送信部は、さらに、前記心音検出部により検出された心音を前記情報解析装置に送信する、
請求項１１ないし１３のいずれかに記載の検出端末装置。
【請求項１５】
前記被験者の手首に着脱可能に取り付けるためのリストバンド体を有し、
前記リストバンド体が前記被験者の手首に装着されることにより、前記被験者についての末梢部位である前記手首の温度を測定する、
請求項１１ないし１４のいずれかに記載の検出端末装置。
【請求項１６】
被験者が心不全であるか否かを検出する心不全検出支援システムであって、
前記被験者についての日常の活動性および末梢部位の温度を検出して検出情報を取得する検出端末装置と、
前記検出情報を解析し、前記日常の活動性および前記末梢部位の温度の両方が低下したときに前記被験者が心不全であることを示すアラーム信号を解析情報として生成する、情報解析装置と、
前記情報解析装置において前記アラーム信号が生成されたときに、その旨を表示しまたは音を発するなどにより出力する出力部と、
を有することを特徴とする心不全検出支援システム。
【請求項１７】
前記情報解析装置は、前記検出端末装置が送信タイミングにおいて送信した前記検出情報を通信回線を介して受信し、受信した前記検出情報を解析する、
請求項１６記載の心不全検出支援システム。
【請求項１８】
前記情報解析装置は、前記検出情報を解析することにより、前記検出情報の送信を比較的に少ない回数で実施する通常モードから前記検出情報の送信を前記通常モードの場合よりも頻繁に行う警戒モードへの切り替えが必要か否かを判断してモード信号を生成し、
前記検出端末装置は、前記モード信号に基づいて、前記検出情報の送信タイミングを前記警戒モードに切り替える、
請求項１７記載の心不全検出支援システム。
【請求項１９】
前記検出端末装置は、さらに前記被験者についての心音を検出して検出情報を取得し、
前記情報解析装置は、前記心音にIII 音が含まれているときに心音異常信号を生成し、
前記出力部は、前記心音異常信号が生成されたときに、その旨を表示しまたは音を発するなどにより出力する、
請求項１６ないし１８のいずれかに記載の心不全検出支援システム。
【請求項２０】
被験者が心不全であるか否かを検出する心不全検出支援システムを生産する心不全検出支援システム生産方法であって、
前記被験者についての日常の活動性を検出する処理、前記被験者についての末梢部位の温度を測定する処理、および検出した前記日常の活動性と測定した前記末梢部位の温度とを心不全検出装置へ通信回線を介して送信する処理を実行するためのコンピュータプログラムを前記被験者の端末装置に配付し、
前記心不全検出装置に、前記端末装置から受信した前記日常の活動性および前記末梢部位の温度に基づいて前記被験者が心不全であることを検出する心不全検出部を設ける、
ことを特徴とする心不全検出支援システム生産方法。
【請求項２１】
被験者が心不全であるか否かを検出するためのコンピュータに用いられるコンピュータプログラムであって、
前記コンピュータに、
前記被験者についての日常の活動性を検出する処理を実行させ、
前記被験者についての末梢部位の温度を測定する処理を実行させ、
検出された前記日常の活動性と測定された前記末梢部位の温度とを前記被験者が心不全であるか否かを判断する情報解析装置に送信する処理を実行させる、
ことを特徴とするコンピュータプログラム。
【発明の詳細な説明】
【技術分野】
【０００１】
本発明は、心不全の検出方法および装置、検出端末装置、心不全検出支援システム、その生産方法、並びにコンピュータプログラムに関する。
【背景技術】
【０００２】
近年において、高齢化にともなう慢性心不全罹患率は上昇の一途をたどっている。例えば２０１６年の時点において、日本では年間約１００万人が慢性心不全に罹患し、そのうちの１０万人が入院治療を要している。治療を終えて退院した場合であっても約４０％の患者が１年以内に重症な症状が再燃して再入院している。この再入院にかかる日本全体の医療費は４８０億円といわれている。
【０００３】
再入院を回避するためには、慢性心不全患者は退院しても入院中のように適切に管理されるべきである。しかし、実際には、退院すると管理は患者自身に委ねられることとなり、病院など医療機関にとっては患者が適切な状態にいるか否かを知ることが容易ではない。
【０００４】
従来において、病院外での心不全早期検出のための技術が種々提案されている。
【０００５】
つまり、Abbott社が販売する CardioMEMS によると、患者の肺動脈圧にデバイスが植め込まれ、心不全の悪化を鋭敏に反映する肺動脈圧を測定することによって心不全を早期に検出する。このデバイスの使用によって約４０％の心不全再入院率を減少させうることが報告されている。
【０００６】
また、東レ株式会社が開発した着衣型センサーによると、衣服の繊維に心電図を測定できる機構が施されており、脈拍の変化をとらえることで心不全の検出に寄与することが期待されている。
【０００７】
また、心音・呼吸・体動を検知するシート型センサーを臥床時にベッド上に敷いて使用することにより、就寝時の患者の心音・呼吸・体動を検知することが提案されている。
【０００８】
また、不整脈に対する治療や心臓再同期療法目的で留置されたペースメーカーから得られる信号に基づいて、心不全を検出することが提案されている。
【０００９】
また、鼻呼吸をした際に生じる空気流を解析して心不全を検出するための装置が提案されている。例えば特許文献１には、呼吸周期または呼吸周波数の不安定性を示す指標の値を算出する算出手段と算出された結果を表示または出力する手段とを有する診断装置を用い、心不全の予後の予測または心不全の重症度の定量的な評価を行うことが提案されている。
【先行技術文献】
【特許文献】
【００１０】
【特許文献１】特開２０１４−２１００３４号公報
【発明の概要】
【発明が解決しようとする課題】
【００１１】
しかし、上に述べた従来の方法による場合には、非侵襲性、デバイスの携帯性や取り扱いの容易性などにおいて課題がある。
【００１２】
すなわち、例えば CardioMEMS を使用するにはデバイスを肺動脈に埋め込まなければならず、侵襲的であって患者への負担が大きいので簡便ではない。
【００１３】
また、シート型センサーは心不全の兆候をとらえるデバイスとして期待されているが、携帯することができず、就寝中しか心不全の検出ができないという問題がある。
【００１４】
鼻呼吸の空気流を解析する方法では、デバイスが大型となるため屋外での使用が容易ではなく、現実的には屋内のみでの使用に向いたものと考えられる。
【００１５】
特許文献１の診断装置では、呼吸気流センサーを被験者の鼻腔付近の皮膚面に貼り付けて吸気流の有無と強度を検知しなければならないので、センサーの装着が被験者の負担となるため長時間にわたる連続的な検知が困難である。
【００１６】
本発明は、上述の問題に鑑みてなされたもので、非侵襲であってデバイスの携帯や取り扱いが容易であり、早期に心不全の悪化を検出することが可能な心不全の検出方法および装置、検出端末装置、並びに心不全検出支援システムを提供することを目的とする。
【課題を解決するための手段】
【００１７】
本発明に係る心不全の検出方法は、被験者についての日常の活動性および末梢部位の温度を測定し、前記日常の活動性および前記末梢部位の温度に基づいて前記被験者が心不全であることを検出する。例えば、前記日常の活動性および前記末梢部位の温度の両方が低下したときに前記被験者が心不全であることを検出する。
【００１８】
本発明に係る心不全の検出装置は、被験者についての日常の活動性および末梢部位の温度に基づいて前記被験者が心不全であることを検出する心不全検出部を有する。
【００１９】
本発明に係る検出端末装置は、被験者が心不全であるか否かを検出するために用いられる検出端末装置であって、前記被験者についての日常の活動性を検出する活動性検出部と、前記被験者についての末梢部位の温度を測定する温度測定部と、前記活動性検出部により検出された前記日常の活動性と前記温度測定部により測定された前記末梢部位の温度とを、前記被験者が心不全であるか否かを判断する情報解析装置に送信する送信部と、を有する。
【００２０】
本発明に係る心不全検出支援システムは、被験者についての日常の活動性および末梢部位の温度を検出して検出情報を取得する検出端末装置と、前記検出情報を解析し、前記日常の活動性および前記末梢部位の温度の両方が低下したときに前記被験者が心不全であることを示すアラーム信号を解析情報として生成する、情報解析装置と、前記情報解析装置において前記アラーム信号が生成されたときに、その旨を表示しまたは音を発するなどにより出力する出力部と、を有する。
【００２１】
本発明に係る心不全検出支援システム生産方法は、被験者についての日常の活動性を検出する処理、前記被験者についての末梢部位の温度を測定する処理、および検出した前記日常の活動性と測定した前記末梢部位の温度とを心不全検出装置へ通信回線を介して送信する処理を実行するためのコンピュータプログラムを前記被験者の端末装置に配付し、前記心不全検出装置に、前記端末装置から受信した前記日常の活動性および前記末梢部位の温度に基づいて前記被験者が心不全であることを検出する心不全検出部を設ける。
【００２２】
本発明に係るコンピュータプログラムは、コンピュータに、前記被験者についての日常の活動性を検出する処理を実行させ、前記被験者についての末梢部位の温度を測定する処理を実行させ、検出された前記日常の活動性と測定された前記末梢部位の温度とを前記被験者が心不全であるか否かを判断する情報解析装置に送信する処理を実行させる。
【発明の効果】
【００２３】
本発明によると、非侵襲であってデバイスの携帯や取り扱いが容易であり、早期に心不全の悪化を検出することが可能な、心不全の検出方法および装置、検出端末装置、心不全検出支援システム、その生産方法、並びにコンピュータプログラムを提供することができる。
【図面の簡単な説明】
【００２４】
【図１】本発明を実施するための心不全検出支援システムの構成の例を示す図である。
【図２】本発明の実施形態の検出端末装置の構造の例を模式的に示す図である。
【図３】本発明の実施形態の検出端末装置の機能的な構成の例を示す図である。
【図４】本発明の実施形態の情報解析装置の機能的な構成の例を示す図である。
【図５】被験者が心不全であることを検出する判断基準の例を示す図である。
【図６】情報端末の表示面に表示される画面の例を示す図である。
【図７】情報端末の表示面に表示される画面の例を示す図である。
【図８】情報端末の表示面に表示される画面の例を示す図である。
【図９】心不全検出支援システムの処理動作の概略を示すフローチャートである。
【図１０】心不全検出の処理動作の例を示すフローチャートである。
【図１１】検出端末装置のモード設定のための処理の例を示すフローチャートである。
【図１２】被験者の皮膚温度の測定例を示す図である。
【図１３】活動性と心機能との関係の例を示す図である。
【図１４】心音情報の例を示す図である。
【図１５】被験者の検出または解析結果に応じた入院の必要性を示す図である。
【発明を実施するための形態】
【００２５】
以下、本発明における実施形態について説明する。
【００２６】
本実施形態では、被験者５について、心不全または急性心不全の状態が生じているかどうかを検出する。つまり、被験者５について、日常の活動性および末梢部位の温度を測定し、日常の活動性および末梢部位の温度に基づいて被験者５が心不全であることを検出する。その場合に、日常の活動性および末梢部位の温度の両方が低下したときに、被験者５が心不全であることを検出する。
【００２７】
本実施形態において、被験者５としては、心不全または慢性心不全を罹患した患者が病院での治療を終えて退院した場合を想定する。しかし、これ以外に、心不全を患ったことのある患者、または低心機能のため心不全を患う可能性のある患者などを被験者５としてもよい。以下詳しく説明する。
【００２８】
図１には、本発明の実施形態による心不全検出支援システム１の構成の例が示されている。図１の心不全検出支援システム１または各部の構成は、請求項８、１０、１１〜１５、１６〜１９の構成の例である。
【００２９】
図１に示す心不全検出支援システム１は、被験者５が日常生活を送る中で、常に被験者５の状態を適切に管理し、病院外での心不全の早期検出を行うことを支援するものである。心不全検出支援システム１によって、多くの被験者５について、心不全の悪化を早期に検出することが可能となり、心機能のさらなる低下や重症な状態での再入院を回避することが可能となる。これによって、多くの被験者５の生命予後の改善が期待される。
【００３０】
図１において、被験者５は、末梢部位の例である手首５Ｔに、被験者５が心不全であるか否かを検出するために必要な情報を取得するためのデバイスである検出端末装置１１を装着する。
【００３１】
検出端末装置１１は、被験者５についての日常の活動性および末梢部位の温度などを測定し、また心音情報ＴＳを検出し、測定しまたは検出した種々の情報を、検出情報ＪＫ１としてネットワーク（通信回線）１２などを介しデータセンター６に設置された情報解析装置１３に送信する。
【００３２】
情報解析装置１３は、受信した検出情報ＪＫ１を解析し、解析情報ＪＫ２を生成する。解析情報ＪＫ２は、ネットワーク１２などを介して、診療施設７に設置された情報端末１４に送信される。情報端末１４は、解析情報ＪＫ２に基づいて、被験者５の心機能の状態、特に被験者５が心不全に陥っているか否かを示す情報、例えば後述するアラーム信号ＷＡまたは心音異常信号ＷＢを、表示面１４Ｈに表示する。
【００３３】
担当医師８は、情報端末１４の表示面１４Ｈを見て、被験者５の診察や入院が必要かどうか、また被験者５にアドバイスを伝える必要があるか否かなどを判断する。その際に、必要に応じて被験者５の心音情報ＴＳの波形を表示面１４Ｈで観察し、または心音情報ＴＳに基づく心音をイヤホーンなどで聴取する。
【００３４】
診察または入院が必要と判断すると、担当医師８または担当職員は、電話機１５で予め登録された被験者５の近くの電話機１６に電話をかけることなどにより、その旨を被験者５に緊急に連絡する。また、必要に応じて救急車を被験者５の下へ向かわせるよう緊急に手配する。
【００３５】
被験者５は、診療施設７からの緊急連絡により、必要に応じて、診療施設７または最寄りの病院などに出向いて、担当医師８などの診察を受ける。
【００３６】
図１に示す実施形態では、検出端末装置１１は、検出情報ＪＫ１を測定または検出するが、検出情報ＪＫ１を情報解析装置１３に送信するのみであり、被験者５が心不全であるか否かなどの判断のための解析は行わない。検出情報ＪＫ１の解析は、検出情報ＪＫ１を受信した情報解析装置１３が行う。しかし、後でも述べるように、検出端末装置１１において検出情報ＪＫ１の解析を行って被験者５が心不全であるか否か、またはその可能性の程度などを示す情報を生成してもよい。
【００３７】
なお、図には１つの検出端末装置１１のみが示されているが、多数の被験者５および多数の検出端末装置１１が存在しており、それらが情報解析装置１３および情報端末１４とネットワーク１２を介して通信可能である。また、多数の担当医師８に対して多数の情報端末１４が存在してもよい。情報解析装置１３も複数存在してもよい。
【００３８】
図２には、本発明の実施形態の検出端末装置１１の構造の例が、図３には検出端末装置１１の構成の例が、それぞれ示されている。
【００３９】
図２および図３において、検出端末装置１１は、例えばウエアラブル端末であり、リストバンド体２１ａによって被験者５の手首５Ｔに着脱可能に取り付け可能な本体２１を有する。本体２１およびリストバンド体２１ａは、合成樹脂、金属、または繊維などを材料とし、被験者５が違和感なく常時装着可能なように構成されている。
【００４０】
本体２１には、皮膚温度センサ２２、環境センサ２３、マイクロフォン２４、インピーダンス測定電極２５、生体情報検出電極２６、加速度センサ２７、圧電センサ２８、および制御処理部２９などが設けられる。
【００４１】
皮膚温度センサ２２は、手首５Ｔの表面に接触するよう本体２１の裏面側に設けられ、手首５Ｔの皮膚表面の温度を測定する。皮膚温度センサ２２は、皮膚温度信号Ｓ１を出力する。
【００４２】
環境センサ２３は、本体２１の表面側に設けられ、検出端末装置１１の周辺の温度を被験者５に対する環境温度として測定する。環境センサ２３は、また、検出端末装置１１の周辺の湿度を被験者５に対する環境湿度として測定する。環境センサ２３は、環境温度信号Ｓ２および環境湿度信号Ｓ３を出力する。
【００４３】
マイクロフォン２４は、被験者５の音声を始めとして、被験者５の周辺の音声を拾い、音声信号Ｓ４を出力する。また、マイクロフォン２４または本体２１が被験者５の胸部または首筋などに押し当てられたきに、マイクロフォン２４は被験者５の呼吸音を拾い、これらの音声信号Ｓ４を出力する。
【００４４】
インピーダンス測定電極２５として、ここでは２つの電極２５ａ，２５ｂが、手首５Ｔの表面に接触するよう本体２１の裏面側に設けられる。これら電極２５ａ，２５ｂは、被験者５の皮膚インピーダンスＺＨを測定するために用いられる。この場合に、電極２５ａ，２５ｂの間には、直流、交流、または高周波の検出電圧が印加され、直流抵抗値またはインピーダンスが測定される。
【００４５】
インピーダンス測定電極２５からは、皮膚インピーダンスＺＨに対応した電気信号Ｓ５が出力される。皮膚インピーダンスＺＨは、被験者５が冷や汗などをかいて湿った状態になると低下する。つまり、皮膚インピーダンスＺＨの変化によって、被験者５のストレスの状態や、それによる発汗状態などを検出することが可能である。
【００４６】
生体情報検出電極２６として、複数の電極２６ａ，２６ｂ…が、本体２１の表面側に設けられる。これら電極２６ａ，２６ｂ…は、被験者５が腕を曲げて被験者５の胸部などに接触させることにより、被験者５の体表面における互いに離れた複数点間の電位の変化を検出するために用いられる。生体情報検出電極２６からは、被験者５の生体に関する電気信号Ｓ６が出力される。
【００４７】
加速度センサ２７は、被験者５の活動性を検出するための三次元加速度センサである。加速度センサ２７は、被験者５の手首５Ｔの移動によって生じる三次元方向における加速度を検出し、加速度信号Ｓ７を出力する。
【００４８】
圧電センサ２８は、被験者５の心音を検出するためのセンサである。圧電センサ２８として、例えば、圧電フィルム（ピエゾフィルム）、セラミック、または水晶など、圧電効果を利用した圧電素子が用いられる。圧電素子は、心臓の動きによる圧力の変化に応じて分極し、電気信号を出力する。
【００４９】
圧電センサ２８を使用して心音を検出するときには、圧電センサ２８が被験者５の胸部における心臓の真上近辺となるよう、検出端末装置１１を配置する。例えば、被験者５が、検出端末装置１１を手首５Ｔから取り外し、圧電センサ２８が被験者５の胸の側となるように上衣の胸ポケットなどに入れる。または、被験者５が圧電センサ２８の側を胸に押し当てる。
【００５０】
なお、電極２５として２つの電極２５ａ，２５ｂを設けた例を示したが、３つ以上でもよい。また、上に述べた以外のセンサ、例えば、気圧によって地上高度を測定するための圧力センサ、静止画または動画を撮影するカメラなどを設けてもよい。
【００５１】
図３を参照して、制御処理部２９には、制御部３０、温湿度測定部３１、音声処理部３２、皮膚インピーダンス測定部３３、生体情報検出部３４、活動性検出部３５、通信部３６、表示操作部３７、心音検出部３８、および電源３９が設けられる。
【００５２】
制御部３０は、制御処理部２９および検出端末装置１１の全体を制御する。制御部３０は、制御プログラムを実行するＣＰＵ(Central Processing Unit) およびその周辺デバイス、種々の情報およびデータなどを記憶するメモリ、および時計機能や計時機能を備える。
【００５３】
制御部３０または制御処理部２９で実行される制御プログラムは、例えば、コンピュータであるＣＰＵに、被験者５についての日常の活動性を検出する処理を実行させ、被験者５についての末梢部位の温度を測定する処理を実行させ、検出された日常の活動性と測定された末梢部位の温度とを被験者５が心不全であるか否かを判断する情報解析装置１３に送信する処理を実行させる。このような制御プログラム（コンピュータプログラム）は、ＲＯＭなどのメモリに予め格納しておいてもよく、また適当なサーバからダウンロードするようにしてもよい。
【００５４】
温湿度測定部３１は、皮膚温度センサ２２からの皮膚温度信号Ｓ１、および環境センサ２３からの環境温度信号Ｓ２と環境湿度信号Ｓ３に基づいて、皮膚温度ＴＴ、環境温度ＴＫ、および環境湿度ＷＫを取得する。
【００５５】
皮膚温度ＴＴ、環境温度ＴＫ、および環境湿度ＷＫを取得するタイミング（取得タイミング）として、例えば、１０分ごと、３０分ごと、１時間ごと、３時間ごと、８時間ごとなど、単位時間ごとに取得してもよく、また、所定の時刻ごとに取得してもよい。
【００５６】
また、後で述べるように、検出情報ＪＫ１の送信のタイミング（送信タイミング）に合わせて（つまり送信する直前に）取得するようにしてもよい。この場合は、取得タイミングと送信タイミングとが一致する。
【００５７】
また、皮膚温度ＴＴ、環境温度ＴＫ、および環境湿度ＷＫを、例えば１０分ごと、３０分ごと、１時間ごとなどの短い周期で取得しておき、送信タイミングでそれらの平均値または最高値などを送信するようにしてもよい。この場合は、情報の一部の取得タイミングと送信タイミングとが一致する。また、情報の取得タイミングを送信タイミングとは別個に設定してもよい。
【００５８】
音声処理部３２は、マイクロフォン２４からの音声信号Ｓ４に基づいて、被験者５の発する音声および言葉を検出し、その意味内容などに応じた音声情報ＤＳを取得する。また、マイクロフォン２４が被験者５の胸部または首筋などに押し当てられたときに得られる音声信号Ｓ４に基づいて、被験者５の呼吸音の周波数解析などを行い、解析結果である音声情報ＤＳを取得する。
【００５９】
音声情報ＤＳを取得するタイミングとして、例えば、被験者５が音声を発したとき、または、被験者５が検出端末装置１１を胸部などに接触させたタイミング、またその状態において被験者５が表示操作部３７などから操作指令を入力したタイミングなどとすればよい。
【００６０】
心音検出部３８は、圧電センサ２８からの心音信号Ｓ８に基づいて、被験者５の心音を検出し、必要に応じて解析し、心音情報ＴＳを取得する。心音情報ＴＳとして、心音（心音波形）それ自体を増幅した信号、または適当なフィルター処理を施した信号、心音から抽出されたＩ音、II音、III 音などの信号、その他の信号を含むことができる。
【００６１】
心音情報ＴＳを取得するタイミングとして、例えば、被験者５が検出端末装置１１を移動させて胸部に当てたタイミング、またその状態において被験者５が表示操作部３７などから操作指令を入力したタイミングなどとすればよい。
【００６２】
皮膚インピーダンス測定部３３は、インピーダンス測定電極２５からの電気信号Ｓ５に基づいて、皮膚インピーダンスＺＨを取得する。皮膚インピーダンスＺＨの取得タイミングについては、皮膚温度ＴＴなどの取得タイミングの場合と同様にしてよい。
【００６３】
生体情報検出部３４は、生体情報検出電極２６からの電気信号Ｓ６に基づいて、被験者５の生体情報ＳＪを取得する。生体情報ＳＪは、例えば、心電波形、心拍数、心拍変動、心拍間隔、呼吸周波数などである。
【００６４】
生体情報ＳＪを取得するタイミングとして、例えば、被験者５が生体情報検出電極２６を胸部などに接触させたタイミング、またその状態において被験者５が表示操作部３７などから操作指令を入力したタイミングなどとすればよい。
【００６５】
なお、被験者５に検出端末装置１１などを胸部などに接触させる動作を行わせるために、情報解析装置１３または情報端末１４などからのその旨の指令を検出端末装置１１に表示するように構成しておけばよい。
【００６６】
活動性検出部３５は、加速度センサ２７からの加速度信号Ｓ７に基づいて、被験者５の活動性を検出する。すなわち、活動性検出部３５には、歩数計３５１および歩行速度計３５２が設けられる。
【００６７】
歩数計３５１は、加速度信号Ｓ７を解析して被験者５の歩数ＨＮを取得する。歩数ＨＮは、例えば、１時間当たり、３時間当たり、８時間当たり、１日当たりなど、単位時間当たりの歩数ＨＮとして取得可能である。
【００６８】
歩行速度計３５２は、加速度信号Ｓ７を解析して被験者５の歩行速度ＨＶ、平均歩行速度ＨＶＡ、および最高歩行速度ＨＶＭを取得する。
【００６９】
歩行速度ＨＶは、例えば加速度信号Ｓ７を解析することによって所定周期ごとに取得される。平均歩行速度ＨＶＡは、歩行速度ＨＶについての単位時間当たりのまたは所定時間内における平均値として取得可能である。最高歩行速度ＨＶＭは、歩行速度ＨＶについての単位時間当たりのまたは所定時間内における最高値として取得可能である。
【００７０】
この場合の単位時間または所定時間として、例えば、１時間、３時間、８時間、１日などとすることが可能である。また、後で述べるように送信タイミングに合わせてそれぞれの情報を生成して取得するようにしてもよい。また、活動性検出部３５において被験者５の歩行周期などを検出するようにしてもよい。
【００７１】
制御処理部２９において取得した、皮膚温度ＴＴおよび皮膚インピーダンスＺＨは末梢情報ＪＫ１１の例であり、歩数ＨＮおよび歩行速度ＨＶは活動性情報ＪＫ１２の例であり、環境温度ＴＫおよび環境湿度ＷＫは環境情報ＪＫ１３の例である。本実施形態において、検出情報ＪＫ１は、これら末梢情報ＪＫ１１、活動性情報ＪＫ１２、環境情報ＪＫ１３、および、音声情報ＤＳ、心音情報ＴＳ、生体情報ＳＪを含む。
【００７２】
これらの情報は、それぞれを取得した測定部や検出部などにおいて一時的に記憶されるほか、所定の期間分の情報が制御部３０のメモリに記憶される。
【００７３】
通信部３６は、インターネットまたはローカルエリアネットワークなどの種々のネットワーク１２との間で、無線による通信が可能である。制御処理部２９で取得された種々の情報は、検出情報ＪＫ１として、通信部３６によりネットワーク１２などを介し、情報解析装置１３または他の所定の通信装置やサーバなどに送信される。
【００７４】
通信部３６による検出情報ＪＫ１の送信は、本発明における活動性、末梢部位の温度、皮膚インピーダンスなどについての「測定」の例である。つまり、本実施形態においては、検出端末装置１１から情報解析装置１３に対して検出情報ＪＫ１を送信することにより、情報解析装置１３が検出情報ＪＫ１に含まれる種々の情報を測定することとなる。つまり、検出情報ＪＫ１の送信タイミングは、情報解析装置１３による測定タイミングとなり、したがって、「送信タイミング」を「測定タイミング」と記すことがある。
【００７５】
また、上にも述べたように、各種情報の取得タイミングと検出情報ＪＫ１の送信タイミングとについて、情報の性質に応じて同一または別個に設定することが可能であり、または全く別個に設定することも可能である。例えば、末梢情報ＪＫ１１については送信タイミングで取得し、活動性情報ＪＫ１２については検出端末装置１１において予め取得していた情報を送信タイミングで送信することとしてもよい。
【００７６】
また、通信部３６は、情報解析装置１３または他の所定の通信装置やサーバから、制御信号、制御指令、またはデータなどを受信することが可能である。
【００７７】
表示操作部３７は、検出端末装置１１で取得された情報やデータを必要に応じて表示し、また制御処理部２９を操作するための指令信号などを操作入力するためのものである。表示操作部３７は、例えば、ＬＣＤ（液晶パネル）、ＥＬ（エレクトロルミネッセント）パネル、タッチパネル、操作スイッチなどを用いて構成される。
【００７８】
電源３９は、制御処理部２９を動作させるために必要な電力を供給する。電源３９として、バッテリー、または、バッテリーと、ソーラーパネル、充電端子、または電磁誘導などによる電力受信機などとの組み合わせが用いられる。
【００７９】
さて、制御処理部２９における各種情報の取得タイミングおよび検出情報ＪＫ１の送信タイミングは、制御部３０によって制御される。
【００８０】
制御部３０において、送信タイミング（測定タイミング）に関して、被験者５の状態などに応じて頻度を変更するため、通常モードと警戒モード（注意モード）の２つのモードが切り替えて設定される。なお、モードの設定または切り替えのための信号であるモード信号ＧＭは、情報解析装置１３から送信される。
【００８１】
図４には、本発明の実施形態の情報解析装置１３の機能的な構成の例が示されている。また、図５には、警戒モードへの切り替えと心不全であることを検出する際のしきい値情報ＡＴの例が示されている。
【００８２】
図４において、情報解析装置１３は、通信部４１、情報解析部４２、検出情報記憶部４３、解析情報記憶部４４、およびしきい値記憶部４５を有する。これら以外に、被験者５を含む多数の患者に関する情報、多数の医療施設および医師に関する情報、検出端末装置１１の貸出し状況に関する情報、医療保険に関する情報、課金およびその決済状況に関する情報など、種々の情報を記憶する記憶部、それらの情報を処理する情報処理部、表示部、および操作部などを有する。
【００８３】
情報解析装置１３は、サーバまたはパーソナルコンピュータなどの情報処理装置によって構成することができる。情報解析装置１３の各機能は、コンピュータプログラムを実行するＣＰＵによって、またはそれとハードウエア素子やデバイスとの協働によって実現することができる。
【００８４】
また、情報解析装置１３の機能の一部にＡＩ（Artificial Intelligence:  人工知能) を用いてもよい。例えば、検出情報ＪＫ１を入力情報とし、学習させることによって解析情報ＪＫ２を出力させる。検出情報ＪＫ１として、被験者５について測定または検出した種々のデータを含ませることにより、検出の精度が向上する。
【００８５】
通信部４１は、インターネットまたはローカルエリアネットワークなどの種々のネットワーク１２との間で、無線による通信が可能である。例えば、検出端末装置１１との間で通信を行って、検出情報ＪＫ１の受信、モード信号ＧＭの送信などを行う。また、情報端末１４との間で通信を行って、解析情報ＪＫ２の送信などを行う。
【００８６】
情報解析部４２は、検出情報ＪＫ１に基づいて情報処理を行う。情報解析部４２には、モード設定部４２１、心不全検出部４２２、および心音異常検出部４２３が設けられる。
【００８７】
モード設定部４２１は、それぞれの検出端末装置１１の検出情報ＪＫ１に基づいて、それぞれのモードを設定するためのモード信号ＧＭを生成する。詳しくは後で説明する。
【００８８】
心不全検出部４２２は、それぞれの検出端末装置１１の検出情報ＪＫ１に基づいて、それぞれの被験者５が心不全であるか否かを検出し、心不全が検出された被験者５に対してアラーム信号ＷＡを生成する。アラーム信号ＷＡは、アラーム状態（警報状態）を示す信号である。
【００８９】
心音異常検出部４２３は、それぞれの検出端末装置１１の心音情報ＴＳに基づいて、心音異常があるか否かを検出する。心音異常検出部４２３は、例えば心音情報ＴＳにIII 音が含まれている場合に心音異常があると判断し、心音異常信号ＷＢを生成する。また、III 音が含まれている場合であっても、被験者５が所定の年齢以上の場合にのみ心音異常信号ＷＢを生成してもよい。なお、検出端末装置１１から送信される心音情報ＴＳに解析された情報が含まれない場合には、心音異常検出部４２３において解析を行い、心音情報ＴＳに含まれるIII 音などを抽出する。
【００９０】
検出情報記憶部４３は、それぞれの被験者５の検出端末装置１１から受信した検出情報ＪＫ１を記憶する。解析情報記憶部４４は、それぞれの被験者５の検出情報ＪＫ１に対応した解析情報ＪＫ２を記憶する。解析情報ＪＫ２には、モード信号ＧＭ、アラーム信号ＷＡ、および心音異常信号ＷＢが含まれる。なお、検出情報ＪＫ１と解析情報ＪＫ２とは、同一の被験者５について関連づけて記憶しておけばよい。しきい値記憶部４５は、しきい値情報ＡＴを記憶する。
【００９１】
さて、次に、モード設定部４２１におけるモード信号ＧＭの生成について説明する。
【００９２】
上に述べたように、検出端末装置１１からの検出情報ＪＫ１の送信タイミングに関して、通常モードと警戒モードの２つのモードがあるが、モード設定部４２１は、それらのモードを切り替えのためのモード信号ＧＭを生成する。
【００９３】
通常モードは、検出情報ＪＫ１の送信を比較的に少ない回数で実施し、被験者５の日常的な活動の様子を観察するモードである。通常モードでは、例えば、１日において、６時、１８時、２４時の３回にわたって送信を実施する。この例の時刻および回数は、標準的な病院で患者を巡回する実務上の時間帯に基づいたものである。これら以外の時刻で実施してもよく、また、実施回数を４回または５回以上としてもよい。
【００９４】
警戒モードでは、検出情報ＪＫ１の送信を、通常モードの場合よりも頻繁に行う。例えば、１日において、０時から６時までは１時間ごとに、６時から２４時までは３時間ごとに、それぞれ送信する。これは、標準的なＩＣＵ（集中治療室）において、患者の変化を早期に捉えるために１時間ごとに観察するという実務に基づいたものである。しかしこれら以外の時刻で実施してもよく、また、実施回数を変更してもよい。
【００９５】
通常、被験者５が検出端末装置１１を装着した当初においては、通常モードが設定される。情報解析装置１３において、通常モードでの検出情報ＪＫ１を解析した結果から、活動性が低下してきたものと判断された場合に、警戒モードに切り替えられる。
【００９６】
次に、モード設定部４２１における通常モードから警戒モードへの切り替えの判断、心不全検出部４２２における被験者５が心不全であることを検出する際の判断方法について説明する。
【００９７】
図５において、しきい値情報ＡＴは、情報解析部４２での判断に用いられる判断基準であり、警戒モードへの切り替えのしきい値（閾値）ＡＴ１、およびアラーム信号を生成する際のしきい値ＡＴ２を含む。
【００９８】
警戒モードへの切り替えのしきい値ＡＴ１として、活動性情報ＪＫ１２である歩数ＨＮおよび最高歩行速度ＨＶＭに対し、「１割以上低下」が設定されている。また、アラーム信号のしきい値ＡＴ２として、活動性情報ＪＫ１２である歩数ＨＮおよび最高歩行速度ＨＶＭに対し「２割以上低下」が設定され、末梢情報ＪＫ１１の皮膚温度ＴＴに対し「３５．０℃以下」が設定され、皮膚インピーダンスＺＨに対し「１０％以上低下」が設定されている。
【００９９】
ここで、比較の基準となる歩数ＨＮ、最高歩行速度ＨＶＭ、および皮膚インピーダンスＺＨは、例えば、被験者５が退院する前に数日間にわたって検出端末装置１１を装着することとし、そのときに取得した歩数ＨＮ、最高歩行速度ＨＶＭ、および皮膚インピーダンスＺＨ、またはそれらの平均値などを基準値として用いることができる。これらの情報も、検出情報ＪＫ１として記憶される。
【０１００】
モード設定部４２１は、ある特定の被験者５について、歩数ＨＮおよび最高歩行速度ＨＶＭが１割以上低下した場合に、警戒モードを設定する。つまり、歩数ＨＮが基準値に対して１割以上低下し、かつ最高歩行速度ＨＶＭが基準値に対して１割以上低下したときに、モード設定部４２１はモード信号ＧＭを生成する。モード信号ＧＭに基づいて、検出端末装置１１において、通常モードから警戒モードに切り替えられる。
【０１０１】
心不全検出部４２２は、次の（Ａ）（Ｂ）（Ｃ）の全ての条件を満たした場合に、被験者５が心不全であると判断し、心不全を検出したことを警告するためのアラーム信号ＷＡを生成する。
（Ａ）歩数ＨＮおよび最高歩行速度ＨＶＭの両方が２割以上低下したこと
（Ｂ）皮膚温度ＴＴが３５．０℃以下に低下したこと
（Ｃ）皮膚インピーダンスＺＨが１０％以上低下したこと
条件（Ａ）は、歩数ＨＮが基準値に対して２割以上低下し、かつ、最高歩行速度ＨＶＭが基準値に対して２割以上低下した場合に満たされることとなる。
【０１０２】
条件（Ｂ）は、末梢部位の皮膚温度ＴＴが３５．０℃以下に低下した場合に満たされることとなる。本実施形態では、末梢部位として手首５Ｔの皮膚温度ＴＴを測定している。
【０１０３】
条件（Ｃ）は、末梢部位の皮膚インピーダンスＺＨが基準値に対して１０％以上低下した場合に満たされることとなる。本実施形態では、末梢部位として、皮膚温度ＴＴの場合と同じ手首５Ｔを測定している。皮膚温度ＴＴと皮膚インピーダンスＺＨとを同じ部位で測定した場合には、これらの関連性が明確であり、信頼性、再現性が良好である。
【０１０４】
なお、これらのしきい値ＡＴ２は実際の症例に基づいて決定したものである。皮膚温度ＴＴについては、医師が診察で触った場合には微妙な温度を識別することができる。
【０１０５】
情報解析装置１３は、被験者５の解析情報ＪＫ２および検出情報ＪＫ１を、当該被験者５に対応する担当医師８の情報端末１４に送信する。アラーム信号ＷＡまたは心音異常信号ＷＢがある場合には、それらを当該被験者５の検出端末装置１１に送信してもよい。
【０１０６】
情報端末１４には、その表示面１４Ｈに、当該被験者５についての検出情報ＪＫ１および解析情報ＪＫ２が表示される。このとき、解析情報ＪＫ２にアラーム信号ＷＡまたは心音異常信号ＷＢが含まれる場合は、情報端末１４において、それらの信号に基づいて注意を喚起するための画像または画面が強制的にかつ強調して表示される。このとき、アラーム信号ＷＡまたは心音異常信号ＷＢに基づいてアラーム音を鳴らすようにしてもよい。また、情報端末１４の表示面１４Ｈに代えてまたはこれとともに、専用の表示装置でアラーム表示を行ってもよい。
【０１０７】
図６〜図８には、情報端末１４の表示面１４Ｈに表示される画面の例が示されている。図６は通常モードの場合の画面ＨＧ１、図７は警戒モードの場合の画面ＨＧ２、図８はアラーム信号ＷＡが出力された緊急連絡モードの場合の画面ＨＧ３をそれぞれ示す。なお、画面ＨＧ１〜３において、図示は一例であり、表示する項目、内容、表示方法、表示形式、配置、色などを種々変更することが可能である。
【０１０８】
図６において、通常モードの画面ＨＧ１には、その上部に対象となっている当該被験者５の「ＩＤ」、「氏名」、「年齢」、「病名」などが表示され、中央部に、解析情報ＪＫ２として、現在の状況が「ＧＯＯＤ」と表示されている。その下部に、検出情報ＪＫ１のうち、活動性情報ＪＫ１２として「活動度状況」が、末梢情報ＪＫ１１として「末梢状況」が、それぞれ表示されている。
【０１０９】
なお、図６において、各項目にカーソルを合わせた場合に、必要に応じてプルダウンメニューが表示され、その中の項目を指定することにより、例えば「既往歴」、「現病歴」、過去の「心エコー」「採血データ」などが表示される。
【０１１０】
図７において、警戒モードの画面ＨＧ２には、その上部に対象となっている当該被験者５の「ＩＤ」、「氏名」、「年齢」、「病名」などが表示され、これとともに、連絡のための「住所」、「電話番号」、「緊急連絡先電話番号」などが表示され、「既往歴」、「現病歴」、「心エコー」「採血データ」、「心音情報」などが表示される。「心音情報」として、心音波形およびこれから分離または抽出された波形を示してよい。また、中央部に、解析情報ＪＫ２として、現在の状況が「ＣＡＵＴＩＯＮ」と黄色で表示されている。その下部に、検出情報ＪＫ１のうち、活動性情報ＪＫ１２として「活動度状況」が、末梢情報ＪＫ１１として「末梢状況」が、それぞれ表示されている。
【０１１１】
図８において、緊急連絡モードの画面ＨＧ３には、警戒モードの画面ＨＧ２と同様な項目の情報が表示されるとともに、その中央部に、解析情報ＪＫ２として、現在の状況が「ＥＭＥＲＧＥＮＴ」と赤色で表示されている。
【０１１２】
担当医師８は、検出情報ＪＫ１および解析情報ＪＫ２を見て、被験者５の診察や入院が必要かどうか、緊急を要するか否か、被験者５へのアドバイスなど、必要な事項を判断する。その際に、担当医師８は、必要に応じて被験者５の心音情報ＴＳの波形を観察し、または心音情報ＴＳに基づく心音をイヤホーンなどで聴取するとともに、アラーム信号ＷＡおよび心音異常信号ＷＢの有無を含めて、検出情報ＪＫ１および解析情報ＪＫ２の全体を見て総合的に判断することとなる。
【０１１３】
アラーム信号ＷＡが有る場合には、担当医師８は当該被験者５の状態の悪化を容易に知ることができる。すなわち、例えば当該被験者５とは関連のない情報が表示面１４Ｈに表示されていた場合であっても、また担当医師８が他の業務を行っていた場合であっても、アラーム信号ＷＡに基づいて画像などが表示面１４Ｈに強制的に表示されまたはアラーム音が鳴るので、担当医師８は当該被験者５の状態の悪化を容易に知ることができる。したがって、担当医師８は、直ぐに当該被験者５の検出情報ＪＫ１および他の情報を見て迅速な判断を行うことができる。心音異常信号ＷＢが有った場合も同様である。
【０１１４】
そして、担当医師８は、必要に応じて、電話機１５などを用いて電話機１６に電話をかけ、また他の医療施設や救急隊などに情報端末１４などを用いて連絡し、必要な手配を行う。また、緊急連絡モードまたは警戒モードにおいて表示される「電話番号」、「緊急連絡先電話番号」などをクリックすることによって、自動的に電話が掛かって連絡を行うことができる。
【０１１５】
なお、警戒モードである場合に、担当医師８は、より詳しい情報を得るために、当該被験者５の呼吸音などの音声情報ＤＳ、心音情報ＴＳ、心電波形または心拍数などの生体情報ＳＪを取得するようにしてもよい。その場合には、担当医師８から被験者５に対し、腕を曲げてマイクロフォン２４または電極２６ａ，２６ｂ…を胸部などに接触させるよう、また検出端末装置１１を胸ポケットに入れて圧電センサ２８により心音を検出するよう指示すればよい。このような追加の情報を得ることにより、心不全検出支援システム１によって心不全を検出する能力および精度が一層高くなる。
【０１１６】
なお、情報端末１４は、パーソナルコンピュータ、タブレット、スマートホンなどの情報処理装置または情報表示装置によって構成することができる。情報端末１４が情報解析装置１３から情報を受信する際に、診療施設７に設置されたサーバなどを介して受信するようにしてもよい。また、情報端末１４を、診療施設７における診療システムの端末装置としても動作するように接続し、被験者５についてのカルテ情報、受診歴、予約情報などを表示するようにしてもよい。
【０１１７】
次に、心不全検出支援システム１における処理動作について、フローチャートを参照して説明する。
【０１１８】
図９には、心不全検出支援システム１の処理動作の概略が示されている。
【０１１９】
図９において、被験者５が検出端末装置１１を装着する（＃１１）。検出端末装置１１は、設定されたタイミングで、被験者５についての活動性、皮膚温度、皮膚インピーダンスなどを測定し、活動性情報ＪＫ１２および末梢情報ＪＫ１１などを取得する（＃１２）。設定された送信タイミングになると（＃１３でイエス）、検出端末装置１１から情報解析装置１３に検出情報ＪＫ１が送信され、情報解析装置１３はこれを解析する（＃１４）。
【０１２０】
情報解析装置１３は、解析により被験者５の心不全を検出すると（＃１５でイエス）、解析情報ＪＫ２としてアラーム信号ＷＡを生成する（＃１６）。なお、情報解析装置１３は、検出情報ＪＫ１の解析によって、通常モードから警戒モードへの切り替えが必要なことを検出した場合は、解析情報ＪＫ２としてモード信号ＧＭを生成する。
【０１２１】
解析情報ＪＫ２は、検出情報ＪＫ１とともに情報端末１４に送信され、表示面１４Ｈに表示される（＃１７）。担当医師８は、表示された解析情報ＪＫ２および検出情報ＪＫ１を見て、被験者５の心不全の悪化の状態、診察や入院の必要性、緊急性などを判断する（＃１８）。担当医師８が心不全と判断した場合には（＃１９でイエス）、当該被験者５および関連先に連絡する（＃２０）。
【０１２２】
図１０には、情報解析装置１３における心不全検出の処理動作の例が示されている。
【０１２３】
図１０において、検出情報ＪＫ１を解析することにより、活動性が所定割合低下し（＃３１でイエス）、末梢部位の温度である手首の皮膚温度ＴＴが低下し（＃３２でイエス）、末梢部位の皮膚インピーダンスが低下した場合に（＃３３でイエス）、心不全を検出する（＃３４）。
【０１２４】
なお、ここでの判断において用いるしきい値ＡＴ２の例は、上に述べたように、活動性の低下の判断については２割、皮膚温度ＴＴの低下の判断については３５．０℃以下、皮膚インピーダンスの低下の判断については１０％である。
【０１２５】
図１１には、検出端末装置１１におけるモード設定のための処理の例が示されている。
【０１２６】
図１１において、検出情報ＪＫ１を解析することにより、活動性が低下した場合に（＃４１でイエス）、警戒モードに切り替える（＃４２）。ステップ＃４１でノーの場合は、通常モードを維持する（＃４３）。
【０１２７】
なお、ここでの活動性の低下の判断において用いるしきい値ＡＴ１の例は、上に述べたように１割である。
【０１２８】
上に述べた実施形態の心不全検出支援システム１によると、検出端末装置１１によって被験者５の状態についての情報を必要なタイミングで取得することができ、心不全であることまたは心不全の悪化を、早期に検出することができる。しかも、検出端末装置１１は、被験者５の手首５Ｔに容易に装着でき、非侵襲であってデバイスの携帯や取り扱いが容易である。
【０１２９】
上に述べた実施形態の検出端末装置１１によると、皮膚温度ＴＴと皮膚インピーダンスＺＨとを被験者５の同じ部位で測定するので、信頼性または再現性が良好であり、心不全か否かについてより正確な判断が行われる。
【０１３０】
さらに、情報端末１４の表示面１４Ｈに、被験者５についての検出情報ＪＫ１、アラーム信号ＷＡ、および心音異常信号ＷＢを含む解析情報ＪＫ２が表示されるので、担当医師８は、診察や入院が必要かどうか、緊急を要するか否かなどを、総合的に迅速に的確に判断することができる。また、必要に応じてカルテ情報などを表示して参照することにより、より迅速に的確に判断することができる。
【０１３１】
また、担当医師８は、必要に応じて被験者５の心音情報ＴＳの波形を観察し、または心音情報ＴＳに基づいて心音を直接に聴取することができるので、一層迅速に的確に判断することができる。
【０１３２】
上に述べた心不全検出支援システム１によると、多数の被験者について心不全の悪化の早期検出を支援することができ、これによって重症な状態での再入院を回避することが可能となり、医療費の低減、患者の生命予後の改善、担当医師や診療施設の負担の軽減などを図ることができる。
【０１３３】
上に述べた実施形態によると、情報解析装置１３は、多数の検出情報ＪＫ１を一箇所で受信し、複数の情報端末１４の中から選択した情報端末１４に対し、所定の検出情報ＪＫ１および解析情報ＪＫ２を送信することができる。したがって、各情報端末１４において検出情報ＪＫ１の解析を行う場合と比べて、解析を一箇所に集中することができ、効率がよく、情報の一元管理が容易であり、各情報端末１４における処理内容が簡単化されて処理負担が軽減される。また、判断のためのしきい値ＡＴが一括管理されるので、心不全の判断およびモードの切り替えにおける判断が統一される。
【０１３４】
上に述べた実施形態において、情報解析装置１３の心不全検出部４２２は、（Ａ）（Ｂ）（Ｃ）の条件を判断したが、これらの条件を変更することが可能である。
【０１３５】
すなわち、心不全検出部４２２における判断に際し、条件（Ｃ）については、心不全であるか否かの判断には用いることなく、条件（Ａ）（Ｂ）を満たした場合には心不全であると判断するようにしてもよい。
【０１３６】
また、条件（Ａ）（Ｂ）を満たした場合には心不全の前兆であると判断し、その後に条件（Ｃ）を満たした場合に真正の心不全であると判断するようにし、それぞれの判断を示すアラーム信号を生成してもよい。
【０１３７】
また、これらの条件の他に、心音情報ＴＳまたは心音異常信号ＷＢに基づく判断も行われる。例えば、心音異常信号ＷＢがあった場合、または担当医師が心音情報ＴＳから心音を聴取してIII 音の存在が分かった場合には、年齢などの条件をも加味した上で心不全であると判断しまたは心不全と類似の判断をしてもよい。
【０１３８】
また、これらの条件におけるしきい値ＡＴとして、適当な他の数値を用いてもよい。また、しきい値ＡＴの数値に対し、他の検出情報ＪＫ１に基づいて修正を加えるようにしてもよい。例えば、環境温度ＴＫおよび環境湿度ＷＫで示される環境状態が心不全にとって不良である場合に、警戒モードへの切り替えまたはアラーム信号ＷＡが早まるようにしきい値ＡＴを修正してもよい。
【０１３９】
また、しきい値ＡＴを、被験者５の状態に応じて個別に設定するようにしてもよい。例えば、個々の被験者５の検出情報ＪＫ１に応じてしきい値ＡＴを設定してもよい。また、検出情報ＪＫ１の内容に応じて複数のグループに区分けしておき、各グループに対してしきい値ＡＴを設定してもよい。
【０１４０】
上の実施形態において、活動性情報ＪＫ１２として、さらに、被験者５について単位時間当たりの階段の昇降回数を測定し、これをモードの切り替えのおよび心不全であるか否かの判断に用いてもよい。
【０１４１】
上に述べた実施形態において、検出端末装置１１における検出情報ＪＫ１の送信タイミングについて、所定のタイミングとなったときに検出端末装置１１の内部でトリガを発生させて検出情報ＪＫ１を送信してもよく、また、所定のタイミングとなったときに情報解析装置１３から検出端末装置１１に指令を送信し、検出端末装置１１がその指令の返信として検出情報ＪＫ１を送信してもよい。
【０１４２】
上に述べた実施形態においては、モードの切り替えの判断、心不全であるか否かの判断を、情報解析装置１３において行ったが、情報端末１４において行ってもよい。また、この判断を、検出端末装置１１の内部で行うようにし、その結果を情報解析装置１３または情報端末１４に送信するようにしてもよい。
【０１４３】
上に述べた実施形態において、心不全検出支援システム１を、ネットワークを介して接続された検出端末装置１１、情報解析装置１３、および情報端末１４によって構成した。しかし、この構成に限ることなく、例えば次のように構成してもよい。次の（１）（２）に示す構成は、請求項９の構成の例である。
（１）  情報解析装置１３の機能を、情報端末１４の中に一体化して組み込む。これにより、情報端末１４は、検出端末装置１１からの検出情報ＪＫ１をネットワーク１２を介して直接に受信する。検出端末装置１１は、検出情報ＪＫ１を解析して解析情報ＪＫ２を生成し、それらを必要に応じて所定のタイミングで情報端末１４に送信し、表示面１４Ｈに表示する。
（２）  情報解析装置１３の機能を、検出端末装置１１の中に一体化して組み込む。これにより、検出端末装置１１は、心不全の判断を自ら行い、アラーム信号ＷＡを含む解析情報ＪＫ２および検出情報ＪＫ１をネットワーク１２を介して情報解析装置１３または情報端末１４に送信する。この場合には、被験者５が自ら心不全のアラーム信号を発することとなり、被験者５の状態の情報を取得するタイミング、それを解析するタイミングなどを、被験者５ごとに実情に応じて設定できる。
【０１４４】
また、心不全検出支援システム１は、上に述べたようにサーバ・クライアントシステムとして構成できるが、サーバを分散させたクラウドサーバシステムとして構成してもよい。
【０１４５】
また、そのようなサーバ・クライアントシステムまたはクラウドサーバシステムは、次のようにして構築することができる。
【０１４６】
すなわち、被験者５が使用する検出端末装置１１のメモリに、上に述べたような制御プログラム（コンピュータプログラム）を配付して実行可能とする。配付の方法として、図１に示すようにサーバまたはクラウドサーバからプログラムＰＧをダウンロードＤＬさせ、またはＣＤ−ＲＯＭ、ＤＶＤ−ＲＯＭ、他のメモリやコンピュータなどから転送する。そして、上に述べた情報解析装置１３または情報端末１４などをデータセンター６または診療施設７などに設置する。このようにして、心不全検出支援システム１が生産（構築）される。
【０１４７】
次に、モードの切り替えまたは心不全であるか否かの判断に際してのしきい値ＡＴ１，２の意義などについて説明する。
【０１４８】
図１２には被験者の皮膚温度の測定例が示されている。
【０１４９】
図１２は、室温２５℃の状態において、急性心不全患者の各部位の皮膚温度を、赤外線タイプの体温計を用いて非接触で測定した値を示す。図中、「Ｌｏｗ」「ｃｏｌｄ」「ｖｅｒｙ  ｃｏｌｄ」との表示は、測定器の表示内容を示し、これは３５．０℃以下であることを意味する。実際には、「ｃｏｌｄ」の部位と「ｖｅｒｙ  ｃｏｌｄ」の部分とでは、ヒト、特に医師が触った感覚としては明らかな違いがある。
【０１５０】
図１２において、患者の首部、胸部、上腕部などは、いずれも３６℃程度の体温を維持しているが、手首、手の指、足の指などの末梢部位においては、３５℃程度に低下している。
【０１５１】
通常、ヒトは循環不全の際に末梢への血流を犠牲にして中枢を守ろうとする。その場合に、交感神経系が亢進し、手足などの末梢部位の動脈は収縮して血流は減少する。同時に全身の汗腺は交感神経の亢進の影響を受けて発汗する方向へ傾く。その結果として、循環不全の際に、ヒトの手足は冷たくなり、汗をかく。これは、いわゆる「冷や汗」である。末梢の冷感と冷汗については医療者には広く認知された項目であり、その所見の有用性や特異度の高さが知られている（Clinical Assessment Identifies Hemodynamic Profiles That Predict Outcomes in Patients Admitted With Heart Failure. Journal of the American College of Cardiology）。
【０１５２】
しかし、実際に循環不全の際にどれくらい皮膚の温度が下がるのかを客観的に示した文献はない。そのため、心不全を検出するためには温度をどのように設定すればよいのかは未知であった。
【０１５３】
そこで、本発明者は、実際に急性心不全の患者の皮膚の温度を測定し、図１２に示すデータを得た。このデータにより、
（１）急性心不全の際に冷感が出現するのはどの部位で具体的に何度なのか
（２）冷感とは何度以下のことを言うのか
（３）どこが心不全の冷感の検出に適しているのか
などの点を確認することができた。
【０１５４】
このデータに基づき、手首を含めた末梢部位の皮膚温度について、しきい値ＡＴ２を、「３５．０℃以下に低下した場合」とするのがよいと結論付けた。
【０１５５】
また、実際のヒトにおいて種々のストレスをかけることで、皮膚のインピーダンスがどれくらい変化するかの文献が知られている（Prospective Investigation into the Influence of Various Stressors on Skin Impedance. Journal of Clinical Monitoring and Computing (2008) 22:67-74 ）。
【０１５６】
この文献によると、ヒトに呼吸負荷を与えたときに最も交感神経系の反応が強くなり、脈拍が早くなり、手のひらに汗をかき、インピーダンスが最も低下したという結果が示されている。本発明者は、この文献を基に、心不全の症状が出た際のストレス条件に最も近いものは呼吸負荷がかかったときであると考察し、そのデータの同じ条件時のインピーダンス変化を採用し、皮膚インピーダンスＺＨのしきい値ＡＴ２として、１０％以上低下とした。
【０１５７】
ところで、皮膚の温度とインピーダンスの変化だけでは、心不全の誤検出の頻度が高くなることが予想される。心不全の検出の精度を高めるため、さらに活動性の変化を測定した。
【０１５８】
すなわち、心臓の機能が低下すると６分間歩行の距離が短くなり、歩行速度も低下することが一般的に知られている（https://www.jstage.jst.go.jp/article/shinzo1969/29/Supplement4/29 ＿62/ ＿pdf ）。
【０１５９】
図１３には、活動性と心機能との関係の例が示されている。
【０１６０】
つまり、図１３には、ＮＹＨＡ（New York Heart Association）分類による心不全の程度が示されている。ＮＹＨＡの数字が大きくなるほど心不全症状が強い患者であることを示す。一般的にはＮＹＨＡIII で入院が必要になり始め (早期発見・早期治療) 、ＮＹＨＡIVでは緊急入院が必要となる。
【０１６１】
心不全症状が強くなると運動に耐えられる強度( 運動耐用能) も低下するため、活動性は落ちてくる。心臓領域では運動耐用能を知る簡易な指標として、病棟内を６分間ひたすら歩いてもらうという試験が一般的である。
【０１６２】
本発明者は、ＮＹＨＡ分類の程度が変わった場合に、どれくらい運動耐用能が落ちるのかを考察した。歩行距離の低下率について、ＮＹＨＡI からＮＹＨＡIIへは平均で１割低下し、ＮＹＨＡIIからＮＹＨＡIII へは平均で２割低下する。よって、ＮＹＨＡI からＮＹＨＡIII へは平均で３割の歩行距離短縮になる。
【０１６３】
他方、初速の低下率をみると、ＮＹＨＡI からＮＹＨＡIIへは平均１割の速度低下があり、ＮＹＨＡIIからＮＹＨＡIII へは平均１割の低下が認められる。よって、ＮＹＨＡI からＮＹＨＡIII へは平均で２割の初速低下が認められることとなる。
【０１６４】
ＮＹＨＡI の健常者の場合、休息により1 日の歩行距離が短くなったとしても歩行速度は低下しない。ＮＹＨＡII  またはIII のように、日中の歩行距離が短くなり、歩行速度も低下した場合は、警戒すべき状態にあるといえる。
【０１６５】
そこで、この警戒状態の患者の末梢部位の温度である皮膚温度ＴＴが低下し、皮膚インピーダンスＺＨも低下すれば、末梢循環不全をきたしていると判断できる。本実施形態では、このような考察および原理に基づいて、心不全の早期検出を行う。
【０１６６】
なお、上に述べた実施形態においては、被験者５の皮膚温度ＴＴおよび皮膚インピーダンスＺＨを、手首５Ｔに検出端末装置１１を装着して測定した。手首５Ｔでは、心不全症状時の末梢冷感・湿潤の変化が起こりやすいので、検出の感度が高くなり信頼性も高い。また、手首５Ｔに装着した場合には検出端末装置１１への抵抗感が少なく、指や手背に比べて外気温の影響が小さいという利点がある。
【０１６７】
しかしこれに限ることなく、末梢部位として、例えば、足首、手背、指、上腕、前腕、下腿、顔、または耳であってもよい。次に、これ各末梢部位の場合の得失を述べる。
【０１６８】
足首の場合には、手首と同様、心不全症状時の末梢冷感・湿潤の変化が起こりやすく、デバイス装着への抵抗感が少なく、指・足背・手首に比べれば外気温の影響が小さい、という利点がある。また、手首の場合と比べて日常生活の干渉となり難い。しかし、手に比べて患者が自分では外し難い、元々足への血流が悪い人の場合には末梢冷感の変化を捉え難い。
【０１６９】
手背の場合には、心不全発症時の末梢冷感・湿潤変化が起こりやすいという利点がある。しかし、日常生活に干渉しやすい、デバイス装着への抵抗感が大きい、外気温の影響を受けやすい、患者が自分で外してしまう可能性が高いなどの欠点がある。
【０１７０】
手指の場合には、心不全発症時の末梢冷感が現れやすいという利点がある。しかし、外気の影響を強く受ける、日常生活への干渉が大きい、デバイス装着への抵抗感が日本人は大きい、患者が自分で外してしまう可能性があるなどの欠点がある。
【０１７１】
前腕または上腕の場合には、外気温の影響を受け難いという利点がある。しかし、心不全発症時の冷感が現れ難い、患者が自分で外してしまう可能性あるなどの欠点がある。
【０１７２】
下腿の場合には、外気温の影響を受け難い、日常生活への干渉が少ない、デバイス装着への抵抗感が少ない、患者が自分でデバイスを外す可能性は上肢より低いという利点がある。しかし、動脈硬化が強い症例では温度の変化が小さくなり得る、心不全発症時の冷感が現れ難いなどの欠点がある。
【０１７３】
顔の場合には、心不全発症時の湿潤の変化が大きい (発汗しやすい) という利点がある。しかし、外気温の影響を受けやすい、呼吸への干渉はないがデバイス装着への抵抗感が大きい、患者が自分で剥がす可能性が高いなどの欠点がある。
【０１７４】
耳の場合には、日常生活への干渉は少ない、患者が自分でデバイスを外す可能性は低いという利点がある。しかし、外気温の影響が強い、心不全発症時の湿潤の変化が起き難い、デバイス装着への抵抗感があるなどの欠点がある。
【０１７５】
次に、心音情報ＴＳについて説明を追加する。
【０１７６】
図１４には心音情報ＴＳの例が示され、図１５には被験者５の検出または解析結果に応じて想定される入院の必要性が示されている。
【０１７７】
図１４（Ａ）は、心音情報ＴＳのうち、圧電センサ２８で得られた心音信号Ｓ８の波形（心音波形）を示す。心音信号Ｓ８には、Ｉ音、II音、III 音などが含まれている。なお、Ｉ音は心室収縮時の音、II音は心室拡張時の始まりに起こる音、III 音は血流による衝撃によって心室壁が振動することによって生じる音である。
【０１７８】
図１４（Ｂ）は、心音情報ＴＳのうち、情報解析部４２などのシミュレータによって心音信号Ｓ８からＩ音、II音、III 音などを抽出した波形を示す。
【０１７９】
心音異常検出部４２３においては、心音情報ＴＳにIII 音が含まれる場合に心音異常信号ＷＢを生成して出力する。
【０１８０】
図１５において、横軸に入院までの余裕日が、縦軸に心不全が疑われる度合いが、それぞれ示されている。例えば、余裕日が−２０である場合には、入院まで２０日程度の余裕があることを示し、余裕日が０である場合には即入院であることを示す。
【０１８１】
上に示した条件（Ａ）を満たすと、余裕日が１９日程度となり、条件（Ｂ）を満たすと、余裕日が２日程度となるものと想定される。また、心音異常についての次の条件（Ｄ）、つまり、
（Ｄ）心音にIII 音が存在したこと
が満たされると、余裕日が１０日程度となると想定される。
【０１８２】
なお、条件（Ｄ）は、心音異常信号ＷＢが出力された場合、および、医師が心音情報ＴＳから心音を直接に聴取してIII 音の存在を認めた場合などに満たされるが、いずれであっても、医師が心音を直接に聴取したときのIII 音の状態に応じては、余裕日がさらに少なくなり、例えば直ちに緊急入院ということも考えられる。
【０１８３】
また、図１５において、Adamson PB es al. による"Curr Heat Fail Reports, 2009 " による条件（Ｘ１）（Ｘ２）（Ｘ３）が併記されている。
【０１８４】
条件（Ｂ）は、条件（Ｘ３）よりも余裕日が少なく、入院の緊急性が高い。条件（Ｄ）は、余裕日が条件（Ａ）と条件（Ｂ）との中間であり、心不全との判断に到るまでの状況見守りに有効である。このように、条件（Ａ）（Ｂ）（Ｄ）を用いることにより、被験者５の心不全に関する判断を充実させることができる。
【０１８５】
また、条件（Ａ）（Ｂ）（Ｄ）とともに、条件（Ｘ１）（Ｘ２）（Ｘ３）をも用いた場合には、心不全に関する判断をより一層充実させることができるものと考えられる。
【０１８６】
上に述べた実施形態において、検出端末装置１１、情報解析装置１３、情報端末１４、または心不全検出支援システム１の全体または各部の構成、構造、処理の内容、順序、タイミング、制御内容または方法、検出情報ＪＫ１および解析情報ＪＫ２の内容などは、本発明の趣旨に沿って適宜変更することができる。
【符号の説明】
【０１８７】
１  心不全検出支援システム
５  被験者
５Ｔ  手首（末梢部位）
１１  検出端末装置
２１  本体
２１ａ  リストバンド体
２２  皮膚温度センサ（温度センサ）
２３  環境センサ
２５  インピーダンス測定電極
２７  加速度センサ
２８  圧電センサ
２９  制御処理部
３０  制御部
３１  温湿度測定部（温度測定部）
３３  皮膚インピーダンス測定部
３４  生体情報検出部
３５  活動性検出部
３６  通信部
３８  心音検出部
１３  情報解析装置
４１  通信部
４２  情報解析部                                                                ４５  しきい値記憶部
４２１  モード設定部
４２２  心不全検出部
１４  情報端末
１４Ｈ  表示面
ＪＫ１  検出情報
ＪＫ２  解析情報
ＡＴ１，２  しきい値
ＨＮ  歩数
ＨＶＭ  最高歩行速度
ＴＴ  皮膚温度
ＺＨ  皮膚インピーダンス
ＴＳ  心音情報（心音）
ＧＭ  モード信号
ＷＡ  アラーム信号
【図１】
2020039472.tif 000003
【図２】
2020039472.tif 000004
【図３】
2020039472.tif 000005
【図４】
2020039472.tif 000006
【図５】
2020039472.tif 000007
【図６】
2020039472.tif 000008
【図７】
2020039472.tif 000009
【図８】
2020039472.tif 000010
【図９】
2020039472.tif 000011
【図１０】
2020039472.tif 000012
【図１１】
2020039472.tif 000013
【図１２】
2020039472.tif 000014
【図１３】
2020039472.tif 000015
【図１４】
2020039472.tif 000016
【図１５】
2020039472.tif 000017